Podtech/llm-jp-corpus-v4-ja_patent huggingface dataset:
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
画像を分析するための方法(146)であって、
画像の複数の要素を表わすデータを受信するステップ(112)と、
前記複数の要素の各要素を知覚される特徴に従って特徴付けるステップ(118)と、
所与の特徴(158,160A-D,162)を有し、該所与の特徴とほぼ同一の特徴を有する要素に隣接する各要素を識別するステップ(120)と、
からなる方法。
【請求項２】
前記特徴付けるステップ(118)が画像を表わす複数のピクセル(164-174)を特徴付けるステップを含む、請求項１の方法。
【請求項３】
前記特徴付けるステップ(118)が背景を表わすピクセルを識別するステップ(158)を含む、請求項２の方法。
【請求項４】
前記特徴付けるステップ(118)が黒情報を表わすピクセルを識別するステップ(160A)を含む、請求項２の方法。
【請求項５】
前記特徴付けるステップ(118)がエッジを表わすピクセルを識別するステップ(160B)を含む、請求項２の方法。
【請求項６】
前記隣接する各要素を識別するステップが前記所与の特徴を有する隣接要素である各要素を識別するステップ(172)を含む、請求項１の方法。
【請求項７】
前記隣接する各要素を識別するステップが非背景ピクセルである隣接ピクセル(150,160A-D)を識別するステップ(172)を含む、請求項１の方法。
【請求項８】
エッジを表わし隣接している画像の要素を識別するステップと、
エッジ(160B)を表わす第１のピクセルを選択し、複数の隣接ピクセルを識別し(172)、前記複数の隣接ピクセルのうちのエッジを表わすいずれかの隣接ピクセルを識別するステップと、
をさらに含む、請求項１の方法。
【請求項９】
前記複数の隣接ピクセルのうちのエッジを表わす隣接ピクセルを識別するステップが、エッジを表わす隣接ピクセルに一意のラベルを付けるステップを含む、請求項８の方法。
【請求項１０】
前記同一ラベルを有し結合しているピクセルを識別するステップが、同一ラベルを有する結合ピクセルにサブラベル(152)を付けるステップをさらに含む、請求項９の方法。
【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】コンテンツの配信のために情報ファイルを部分的に暗号化する方法であって、
情報ファイルを第１のファイルと第２のファイルに分割するステップであって、該第１のファイルのみを使用しては該情報ファイルを復元することができないように、該情報ファイルからのコンテンツを該第２のファイルに含ませるようにして分割するステップと、
前記第２のファイルを暗号化するステップと、
を含む方法。
【請求項２】さらに、
前記第１のファイルおよび前記暗号化された第２のファイルを、装置に送信するステップと、
を含む、請求項１に記載の方法。
【請求項３】前記第１のファイルおよび前記暗号化された第２のファイルは、インターネットを介して送信される、
請求項２に記載の方法。
【請求項４】暗号化する前記ステップは、さらに、
ＲＳＡアルゴリズムを使用するステップを含む、
請求項１に記載の方法。
【請求項５】さらに、
前記第２のファイルに使用制限を追加するステップと、
を含む、請求項１に記載の方法。
【請求項６】情報ファイルを分割する前記ステップは、さらに、
ユーザが選択したパターンを介して、該情報ファイルから一部を選択するステップを含む、
請求項１に記載の方法。
【請求項７】情報ファイルを分割する前記ステップは、さらに、
該情報ファイルに含まれるコンテンツに関連するデフォルトパターンを介して該情報ファイルから一部を選択し、前記第２のファイルを形成するステップを含む、
請求項１に記載の方法。
【請求項８】装置において情報ファイルを受け取る方法であって、
第１のファイルおよび第２のファイルを受取るステップであって、該第２のファイルは、暗号化されており、かつ、該第１のファイルのみを使用しては該情報ファイルを復元することができないように該情報ファイルからのコンテンツを含んでいる、ステップと、
前記第２のファイルを解読するステップと、
前記第１のファイルおよび前記解読された第２のファイルを結合して、前記情報ファイルの使用可能なバージョンを復元するステップと、
を含む、方法。
【請求項９】前記第１のファイルおよび暗号化された前記第２のファイルは、インターネットを介して受け取られる、
請求項８に記載の方法。
【請求項１０】前記第２のファイルは、ＲＳＡアルゴリズムによって暗号化される、
請求項８に記載の方法。
【請求項１１】前記第２のファイルを解読するステップは、さらに、
使用制限を復号化するステップと、
前記使用制限に従って、前記復元されたファイルの使用を制限するステップと、
を含む、請求項８に記載の方法。
【手続補正書】
【提出日】平成15年5月16日(2003.5.16)
【手続補正１】
【補正対象書類名】明細書
【補正対象項目名】特許請求の範囲
【補正方法】変更
【補正の内容】
【特許請求の範囲】
【請求項１】
複数のソースから得られた医療情報を表示するインターネットコンパティブルシステムであって、
複数のソースのうちの少なくとも１つから患者に関連したデータを取得して、当該取得されたデータに所望の順序で表示のための優先順位を付けるプロセッサと、
順位が付けられた前記取得データを第１ウィンドウに表示し、それとともにユーザ入力医療メモ、医療ＬＡＢ結果およびベンチレータデータのうちの少なくとも１つを第２のウィンドウに表示する複合ウィンドウを生成するメニュージェネレーータとを含む装置を有する、
ことを特徴とするインターネットコンパティブルシステム。
【請求項２】
前記ベンチレータデータはベンチレータセッティングおよびベンチレータパラメータのうちの少なくとも１つを含む、請求項１記載のシステム。
【請求項３】
前記プロセッサは取得されたデータに選択された時間枠内で表示のための優先順位を付け、
選択された時間枠中の選択された時間を示すカーソルが表示される、請求項１記載のシステム。
【請求項４】
時間表示領域は選択されたカーソル時間に対応する時間を表示し、選択された時間期間中の選択された時間に対するコメントをユーザが入力することができるコメントアイコンを含む、請求項３記載のシステム。
【請求項５】
メニュージェネレータは第２のウィンドウに表示するために、ユーザ入力医療メモ、医療ＬＡＢ結果およびベンチレータデータのうちの少なくとも１つをユーザの選択に応答して選択する、請求項１記載のシステム。
【請求項６】
前記医療メモは、医療メモの入力時間、入力日付および入力者のうちの少なくとも１つを含む、請求項１記載のシステム。
【請求項７】
前記第１のウィンドウはグラフ形式のデータパネルと表形式のデータパネルを含む、請求項１記載のシステム。
【請求項８】
前記プロセッサは取得されたデータに、所望の順序で表示のための優先順位をユーザの選択に応答して付ける、請求項１記載のシステム。
【請求項９】
第２のウィンドウに表示するためにユーザ入力医療メモ、医療ＬＡＢ結果およびベンチレータデータのうちの少なくとも１つがユーザによって選択されるステップを含む、請求項１記載の方法。
【請求項１０】
複数のソースから得られた医療情報を表示する方法であって、
複数のソースのうちの少なくとも１つから患者に関連したデータを取得するステップと、
当該取得されたデータに所望の順序で表示のための優先順位を付けるステップと、
順位が付けられた前記取得データを第１のウィンドウに表示し、それとともにユーザ入力医療メモ、医療ＬＡＢ結果およびベンチレータデータのうちの少なくとも１つを第２のウィンドウに表示する複合ウィンドウを生成するステップとを有する、
ことを特徴とするインターネットコンパティブルな方法。
【請求項１１】
前記ベンチレータデータはベンチレータセッティングおよびベンチレータパラメータのうちの少なくとも１つを含む、請求項１０記載の方法。
【請求項１２】
ユーザによって選択された時間枠内の取得データを表示するステップを含み、
選択された時間枠中の選択された時間を示すカーソルを表示する、請求項１０記載の方法。
【請求項１３】
選択されたカーソル時間に対応する時間を表示するステップと、
選択された時間期間中の選択された時間に対するコメントをユーザが入力することができるコメントアイコンを提供するステップを含む、請求項１０記載の方法。
【請求項１４】
ネットワーク上の複数のソースから得られた医療情報を表示する方法であって、
複数のソースのうちの少なくとも１つから患者に関連したデータを取得するステップと、
当該取得されたデータに所望の時間期間で表示のための優先順位を付けるステップと、
取得された前記データを第１のウィンドウに表示し、これとともにユーザ入力医療メモ、医療ＬＡＢ結果およびベンチレータデータのうちの少なくとも１つを第２のウィンドウに表示する複合ウィンドウを生成するステップとを有する、
ことを特徴とするインターネットコンパティブルな方法。
【請求項１５】
取得されたデータを様々なスケールの異なる色で表示するステップを有する、請求項１４記載の方法。
【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
プロセッサ（１０２）のインターフェイスとなり、かつ、ランダムアクセスメモリ（ＲＡＭ）の１つ以上のブロックを制御する、ユーザプログラマブルなメモリコントローラ（１０４）であって、前記プロセッサは、第１の組のアドレス線を生成し、前記コントローラは、
前記第１の組のアドレス線から第２の組のアドレス線を生成するユーザプログラマブルなアドレスマネージャ（１１６）を含み、前記第２の組のアドレス線は、プログラマブルな深さを有して、前記ＲＡＭの１つ以上のブロックに結合され、前記コントローラはさらに、
前記深さに関連する待機状態を生成するユーザプログラマブルな待機状態マネージャ（１１４）を含む、ユーザプログラマブルなメモリコントローラ（１０４）。
【請求項２】
前記ＲＡＭの１つ以上のブロックの少なくとも１つは、構成可能なアスペクト比を有し、前記深さは、前記アスペクト比と関連する、請求項１に記載のコントローラ（１０４）。
【請求項３】
前記アドレスマネージャ（１１６）は、
前記第１の組のアドレス線の１つを受取る入力と出力とを各々が有する、複数のロジック構成要素（１７０）と、
前記複数のロジック構成要素を活性化または非活性化するためのユーザプログラマブルな状態を有する制御信号の組とを含む、請求項１に記載のコントローラ（１０４）。
【請求項４】
前記ＲＡＭの１つ以上のブロックの少なくとも１つは、構成可能なアスペクト比を有し、前記制御信号の組の前記状態は、前記アスペクト比と関連する、請求項３に記載のコントローラ（１０４）。
【請求項５】
前記複数のロジック構成要素は、デマルチプレクサ（１７２）を含む、請求項３に記載のコントローラ（１０４）。
【請求項６】
前記アドレスマネージャ（１１６）は、前記制御信号の組を生成する複数のマルチプレクサ（１７４）をさらに含む、請求項３に記載のコントローラ（１０４）。
【請求項７】
前記コントローラは、構成メモリ（１２６）を有するフィールドプログラマブルゲートアレイ（２０）において実現され、前記複数のマルチプレクサ（１７４）の各々への１つの入力は、前記フィールドプログラマブルゲートアレイ（２０）の前記構成メモリ（１２６）に結合される、請求項６に記載のコントローラ（１０４）。
【請求項８】
前記プロセッサ（１０２）は、レジスタ（１２８）と関連し、前記複
数のマルチプレクサ（１７４）の各々への１つの入力は、前記レジスタに結合される、請求項６に記載のコントローラ（１０４）。
【請求項９】
前記レジスタ（１２８）は、前記プロセッサ（１０２）のソフトウェア命令によってプログラマブルである、請求項８に記載のコントローラ（１０４）。
【請求項１０】
前記アドレスマネージャ（１１６）は、前記制御信号の組のそれぞれ１つを前記デマルチプレクサのそれぞれ１つに送信する出力端子を各々が有する複数のマルチプレクサをさらに含む、請求項５に記載のコントローラ（１０４）。
【手続補正２】
【補正対象書類名】明細書
【補正対象項目名】００３１
【補正方法】変更
【補正の内容】
【００３１】
グローバルアドレス線の生成を扱う、アドレスマネージャ１１６の部分１７０を、次に説明する。それは、複数のアドレス線非活性化ユニットを含み、それらの１つが、図３のユニット１７１として示される。各ユニットは、バスＡcpu*のアドレス線を非活性化することができる。ユニット１７１は、バスＡcpu*のアドレス線を入力として受取るデマルチプレクサ１７２を含む。デマルチプレクサ１７２の２つの出力の一方（出力１８０等）は、グローバルブロックＲＡＭアドレスバスＡGbramの１つのアドレス線である。デマルチプレクサ１７２の他方の出力（出力１７８等）は用いられない。デマルチプレクサ１７２の入力が、出力１８０に接続される場合に、アドレス線が活性化される。その反対に、デマルチプレクサ１７２の入力が、出力１７８に接続される場合に、アドレス線は非活性化される。出力１８０が非活性化されるかどうかは、別のマルチプレクサ１７４によって制御される。マルチプレクサ１７４の１つの入力は、メモリ１２６のビットであり、別の入力は、レジスタ１２８のビットである。選択信号１７６は、メモリ１２６のビットまたはレジスタ１２８のビットのどちらがデマルチプレクサ１７２に結合されるかを選択するために用いられる。その結果、バスＡcpu*のアドレス線が非活性化されるかどうかは、メモリ１２６のビットまたはレジスタ１２８のビットのいずれかによって制御される。複数のアドレス線非活性化ユニットを用いることにより、バスＡcpu*のアドレス線のいくつかを非活性化することができ、それによって、グローバルブロックＲＡＭアドレスバスＡGbramのアドレス線の数を減じることができる。信号１７６は、ＦＰＧＡ構成ロジックによって制御される。一実施例において、メモリ１２６からのデータは、ＦＰＧＡの作動中に、デマルチプレクサ１７２の選択線内にロードされる。ＦＰＧＡが構成された後に、信号１７６は、レジスタ１２８が非活性化に影響を及ぼすことができるように、制御を譲渡する。デマルチプレクサブロックは、汎用論理表現としてのみ用いられる。同じ結果を得るために、論理ゲートのどのような組合せを用いてもよいことに注目されたい。


【手続補正３】
【補正対象書類名】明細書
【補正対象項目名】００５５
【補正方法】変更
【補正の内容】
【００５５】
データ処理システム３００は、データ側メモリコントローラ３０８と、命令側メモリコントローラ３１０とを含む。これらの２つのコントローラの構造は、メモリコントローラ１０４のものと実質的に同じであるが、例外として、データ側メモリコントローラ３０８がベースアドレスレジスタおよびコンパレータ３５２を含み、命令側メモリコントローラ３１０がベースアドレスレジスタおよびコンパレータ３５４を含む。これらの２つのベースアドレスレジスタおよびコンパレータを用いて、エイリアシングを行なう。データ側コントローラ３０８は、２つのメモリ３３２および３３４と関連する。これらの２つのメモリは、図２のメモリ１２２および１２６と同様の機能を果たす。命令側コントローラ３１０は、２つのメモリ３３６および３３８と関連する。これらの２つのメモリは、図２のメモリ１２２および１２６として、同様の機能を果たす。


【手続補正４】
【補正対象書類名】図面
【補正対象項目名】図１Ａ
【補正方法】変更
【補正の内容】
【図１Ａ】
2004529403.tif 000001
【手続補正５】
【補正対象書類名】図面
【補正対象項目名】図２
【補正方法】変更
【補正の内容】
【図２】
2004529403.tif 000002
【手続補正６】
【補正対象書類名】図面
【補正対象項目名】図３Ａ
【補正方法】変更
【補正の内容】
【図３Ａ】
2004529403.tif 000003
【手続補正書】
【提出日】平成15年11月11日(2003.11.11)
【手続補正１】
【補正対象書類名】特許請求の範囲
【補正対象項目名】全文
【補正方法】変更
【補正の内容】
【特許請求の範囲】
【請求項１】
インパルスラインを介して主要流れ感知要素に連結するように構成されている流れ診断システムであって、前記流れ診断システムが、
前記インパルスラインに連結され、圧力を表わすデジタル圧力データを生成する圧力送信機と、
前記圧力データを受信し、前記圧力データと前記圧力データと関連するリアルタイムクロック読み取り値とを前記流れ診断システム内に格納される診断アプリケーションに供給する制御システムと、
を備え、前記診断アプリケーションが、
前記圧力データと前記圧力データの変動平均値との間の差を計算する第１のアルゴリズムと、
前記差を受信し、訓練モードの間に履歴圧力データの訓練データセットを計算し、モニタリングモードの間にカレント圧力データを計算し、流れ感知の状態における変化を示す前記履歴圧力データに対する前記カレント圧力データセットの関数として診断データを生成する第２のアルゴリズムと、
前記診断データを示すレポートを生成する第３のアルゴリズムと、
を備えている、流れ診断システム。
【請求項２】
前記診断アプリケーションが前記制御システム内に記憶されている請求項１の流れ診断システム。
【請求項３】
前記圧力送信機、前記制御システム、あるいはリモートコンピュータが、リアルタイムクロックを提供する請求項１の流れ診断システム。
【請求項４】
前記訓練データセットが統計データまたはパワースペクトル密度を含む請求項１の流れ診断システム。
【請求項５】
前記診断データが主要要素またはインパルスラインのリアルタイムの状態を示す請求項１の流れ診断システム。
【請求項６】
さらに、前記第１の差アルゴリズム内の信号評価装置に出力を提供する信号の前処理アルゴリズムを含む請求項１の流れ診断システム。
【請求項７】
前記流れ診断システムに主要要素および圧力送信機に連結可能なインパルスラインに対する診断オペレーションを実行させるために流れ診断システムによって実行可能な命令を格納されたコンピュータ読み取り可能媒体であって、前記命令が、
前記圧力送信機によって感知される圧力と前記感知圧力の変動平均値との差を計算するステップと、
前記流れ診断システムの訓練モードの間に計算された差の履歴データセットを取得し、格納するステップと、
前記流れ診断システムのモニタリングモードの間に計算された差のカレントデータセットを取得し、格納するステップと、
前記主要要素とインパルスラインとから構成されるグループの１つの状態を診断するために、前記カレントデータセットを前記履歴データセットと比較するステップと、
前記主要要素とインパルスラインとから構成されるグループの１つの状態を示す診断レポートを生成するステップと、
を備えている、コンピュータ読み取り可能媒体。
【請求項８】
プロセス制御システムにおける劣化主要要素、あるいは、劣化インパルスパイプを検出するために流れ診断システムで行われる方法であって、
プロセス流体の流れに関連する測定信号を入手するステップと、
メモリからベースライン主要要素、あるいは、インパルスパイプのためのベースライン統計的パラメータを検索するステップと、
前記測定信号のカレント統計的パラメータを計算するステップと、
前記ベースライン統計的パラメータを前記カレント統計的パラメータと比較するステップと、
劣化主要要素、あるいは、劣化インパルスパイプを示す前記診断出力を比較するステップに基づき診断出力を提供するステップと、
を備えている方法。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】  ａ）  合成ガスをフィッシャー・トロプシュ合成条件にかける工程、
ｂ）  前記フィッシャー・トロプシュ合成からの炭化水素フラクションを回収する工程であって、然も、前記フラクションは更に残留するフィッシャー・トロプシュ触媒微粒子を含有する該工程、
ｃ）  水素化処理触媒床を用いて前記フラクションを上昇流水素化処理条件にかける工程であって、然も、前記触媒床は残留するフィッシャー・トロプシュ触媒微粒子がその床を通過するのを可能にし、品質向上した生成物流を形成する該工程、及び
ｄ）  その品質向上した生成物流から残留する触媒微粒子の少なくとも一部分を除去する工程、
を含むフィッシャー・トロプシュ生成物の品質向上方法。
【請求項２】  残留する触媒微粒子を濾過により除去する、請求項１に記載の方法。
【請求項３】  品質向上した生成物流を蒸留し、品質向上した生成物を、品質向上した成分生成物と残留するフィッシャー・トロプシュ触媒微粒子を含有する塔底留分とに分離することによって、残留する触媒微粒子を除去する、請求項１に記載の方法。
【請求項４】  残留する触媒微粒子を遠心分離により除去する、請求項１に記載の方法。
【請求項５】  フィッシャー・トロプシュ合成条件が大きな鎖成長確率を有する触媒を用いることを含む、請求項１に記載の方法。
【請求項６】  フィッシャー・トロプシュ合成条件が、ワックス及び重質生成物の形成に都合のよい条件を含む、請求項１に記載の方法。
【請求項７】  フィッシャー・トロプシュ合成条件が、スラリー床反応器を含む、請求項１に記載の方法。
【請求項８】  水素化処理触媒が、水素化処理、水素化分解及び水素化異性化触媒からなる群から選択される、請求項１に記載の方法。
【請求項９】  水素化処理触媒が、少なくとも1/20インチの断面直径を有し、かつ球形又は円筒状である、請求項１に記載の方法。
【請求項１０】  合成ガスを炭化水素生成物へ転化する方法であって、該方法の全体がフィッシャー・トロプシュ合成段階及び少なくとも一つの続く水素化処理段階を含み、該方法は残留するフィッシャー・トロプシュ触媒微粒子を含むフィッシャー・トロプシュ炭化水素フラクションを形成する、転化方法において、
ａ）  水素化処理触媒床を用いて、フィッシャー・トロプシュ炭化水素フラクションを上昇流反応器中で処理する工程であって、然も、前記触媒床は残留するフィッシャー・トロプシュ触媒微粒子がその床を通過するのを可能にし、品質向上した生成物を形成する該工程、及び
ｂ）  前記品質向上した生成物から残留するフィッシャー・トロプシュ触媒微粒子を除去する工程、
を含む改良転化方法。
【請求項１１】  残留する触媒微粒子を濾過により除去する、請求項１０に記載の方法。
【請求項１２】  品質向上した生成物流を蒸留し、品質向上した生成物を、品質向上した成分生成物と残留するフィッシャー・トロプシュ触媒微粒子を含有する塔底留分とに分離することによって、残留する触媒微粒子を除去する、請求項１０に記載の方法。
【請求項１３】  残留する触媒微粒子を遠心分離により除去する、請求項１０に記載の方法。
【請求項１４】  水素化処理触媒が、少なくとも1/20インチの断面直径を有し、かつ球形又は円筒状である、請求項１０に記載の方法。
【請求項１５】  ａ）  スラリー床反応器中で合成ガスをフィッシャー・トロプシュ合成条件にかけて炭化水素生成物流を形成する工程、
ｂ）  前記スラリー床反応器から炭化水素フラクションを回収する工程であって、然も、該フラクションは残留するフィッシャー・トロプシュ触媒微粒子を含む該工程、
ｃ）  水素化処理触媒床を用いて前記フラクションを上昇流水素化処理条件にかけて品質向上した生成物流を形成する工程であって、然も、水素化処理触媒は少なくとも1/20インチの断面直径を有し、かつ球形又は円筒状である該工程、
ｄ）  前記品質向上した生成物流を蒸留して、品質向上した生成物を品質向上した成分生成物と残留するフィッシャー・トロプシュ触媒微粒子を含む塔底留分とに分離することによって、残留するフィッシャー・トロプシュ触媒微粒子を除去する工程、
を含むフィッシャー・トロプシュ生成物の品質向上方法。
【請求項１６】  水素化処理触媒が、水素化処理、水素化分解及び水素化異性化触媒からなる群から選択される、請求項１５に記載の方法。
【請求項１７】  スラリー床反応器から炭化水素フラクションを回収する工程は、残留するフィッシャー・トロプシュ触媒微粒子を含む炭化水素フラクションを与える炭化水素生成物流を濾過することを含む、請求項１５に記載の方法。
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】  以下の項目：
ａ）以下のものから成るマトリクス
・メチルメタクリレート７５〜１００質量％
・アクリレート０.１〜１５質量％
・別の共重合可能な化合物０〜１５質量％
ｂ）以下のものから成る別のマトリクス
・スチレン７０〜９２質量％
・アクリロニトリル８〜３０質量％
・他のコモノマー０〜２２質量％
ｃ）ＰＭＭＡシェルを有するシリコーンエラストマー粒子の耐衝撃性改良剤、および
ｄ）アクリレートゴムをベースとする耐衝撃性改良剤
を含有する耐衝撃性ＰＭＭＡ成形体組成物において、成分ｃ）およびｄ）の全体に対して、成分ｃ）の含量が５〜９５質量％であり、成分ｄ）の含量が９５〜５質量％であり、ａ）、ｂ）、ｃ）およびｄ）の全体に対して、成分ｂ）を０〜４５質量％、成分ｃ）を５〜３０質量％、成分ｄ）を１〜３０質量％添加し、成形体組成物が以下の特性：
・ＩＳＯ３０６（Ｂ５０）のビカーソフトニング温度が少なくとも９５℃である
・ＩＳＯ１８０のノッチ付衝撃強さＮＩＳ（Ｉｚｏｄ１８０／ｌｅＡ、１.８ＭＰａ）が−２０℃で少なくとも３.０ｋＪ／ｍ２であり、−４０℃で少なくとも２.５ｋＪ／ｍ２である
・ＩＳＯ５２７−２の弾性率が少なくとも２０００ＭＰａである
を有することを特徴とする、耐衝撃性ＰＭＭＡ成形体組成物。
【請求項２】  マトリクスが９００００〜２５００００ダルトンの平均分子量（質量平均）を有することを特徴とする、請求項１に記載の耐衝撃性ＰＭＭＡ成形体組成物。
【請求項３】  耐衝撃性改良剤ｃ）が９５質量％までのシリコーン含量を有することを特徴とする、請求項１に記載の耐衝撃性ＰＭＭＡ成形体組成物。
【請求項４】  耐衝撃性改良剤ｃ）のＰＭＭＡシェルが、メチルメタクリレート３０〜１００質量％および他の共重合可能な化合物０〜３０質量％から成るポリマーを含有することを特徴とする、請求項１に記載の耐衝撃性ＰＭＭＡ成形体組成物。
【請求項５】  耐衝撃性改良剤ｃ）の一次粒度が直径１０〜３００ｎｍであり、一次粒度分布が単峰性である（０.２を越えない多分散係数）ことを特徴とする、請求項１に記載の耐衝撃性ＰＭＭＡ成形体組成物。
【請求項６】  耐衝撃性改良剤ｄ）が
・コア−シェル粒子（コアはアクリレートゴムを含有し、粒度は１００〜１０００ｎｍである）
・コア−シェル−シェル（Ｃ／Ｓ１／Ｓ２）粒子（Ｓ１はアクリレートゴムを含有し、粒度は１００〜１０００ｎｍである）、または
・ＰＭＭＡビーズ中の微粒子アクリレートゴム（粒度は、１００〜５００μｍである）
のいずれかであることを特徴とする、請求項１に記載の耐衝撃性ＰＭＭＡ成形体組成物。
【請求項７】  −４０℃まで低下させた温度であっても、ＩＳＯ１８０のノッチ付衝撃強さＮＩＳ（Ｉｚｏｄ１８０／ｌｅＡ、１.８ＭＰａ）が少なくとも２.５ｋＪ／ｍ２であり、射出成形または押出により成形体を製造するための、請求項１から６までのいずれか１項に記載の成形体組成物の使用。
【請求項８】  −１０℃を下回る温度への曝露期を伴う用途への、請求項７に記載の成形体の使用。
【請求項９】  成形体が車体のミラーハウジングまたはスポイラーであることを特徴とする、請求項８に記載の成形体の使用。
【請求項１０】  成形体がチューブまたは保護カバーであることを特徴とする、請求項８に記載の成形体の使用。
【請求項１１】  成形体が冷蔵庫の構成材料であることを特徴とする、請求項８に記載の成形体の使用。
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
少なくとも１つポリペプチドまたは多糖類およびキャリアによって分散される抗微小管剤を含む、組成物。
【請求項２】
前記抗微小管剤が、前記ポリペプチドまたは多糖類に関係なく分散される、請求項１に記載の組成物。
【請求項３】
前記キャリアが、水性溶媒中で抗微小管剤の分散性を増強する、請求項１に記載の組成物。
【請求項４】
前記ポリペプチドまたは多糖類が、多糖類である、請求項１〜３のいずれか１項に記載の組成物。
【請求項５】
前記多糖類が、ヒアルロン酸、ヒアルロン酸誘導体、セルロース、セルロース誘導体、キトサン、キトサン誘導体、デキストラン、およびデキストラン誘導体から選択される、請求項４に記載の組成物。
【請求項６】
前記多糖類が、ヒアルロン酸またはその誘導体である、請求項４に記載の組成物。
【請求項７】
請求項１〜６のいずれか１項に記載の組成物を形成するプロセスであって、該プロセスは以下の工程：
（ａ）抗微小管剤とキャリアとを接触して、キャリアによって分散される抗微小管剤を形成する工程；および
（ｂ）（ａ）と、少なくとも１つのポリペプチドもしくは多糖類とを合わせ、それにより組成物を形成する工程、
を包含する、プロセス。
【請求項８】
請求項１〜６のいずれか１項に記載の組成物を形成するプロセスであって、該プロセスは以下の工程：
（ａ）少なくとも１つのポリペプチドもしくは多糖類とキャリアとを水性媒体中で合わせる工程；および
（ｂ）（ａ）に抗微小血管薬剤を加えることによって、該抗微小管剤が該キャリアによって分散される組成物を形成する工程、
を包含する、プロセス。
【請求項９】
炎症状態を処置するための方法における使用のための請求項１〜６のいずれか１項に記載の組成物であって、該方法は、炎症状態の処置を必要とする患者に、治療的有効量の該組成物を投与する工程を包含する、組成物。
【請求項１０】
抗微小管剤を標的部位に送達するための方法における使用のための請求項１〜６のいずれか１項に記載の組成物であって、該方法が、該組成物を水性環境に導入する工程を包含し、標的部位が該水性環境と接触している、組成物。
【請求項１１】
水溶液中に塩化ナトリウム、リン酸ナトリウム塩、単糖類、および二糖類のうちの少なくとも１種をさらに含み、その結果、該組成物が希釈される、請求項１０に記載の組成物。
【請求項１２】
前記微小血管薬剤が、約０．０１ｍｇ／ｍｌ〜約７５ｍｇ／ｍｌの濃度で前記希釈組成物中に存在する、請求項１１に記載の組成物。
【請求項１３】
前記キャリアは共溶媒を含み、該共溶媒は、水中で少なくとも１０％ｖ／ｖの濃度で水と混和可能であり、そして前記抗微小管剤は、水と該共溶媒との混合物中で可溶性である、請求項１０に記載の組成物。
【請求項１４】
前記共溶媒が、エタノール、グリセロール、エトキシジグリコール、Ｎ−メチルピロリジノン（ＮＭＰ）、ポリエチレングリコール（ＰＥＧ）または約７５０ｇ／ｍｏｌまでの分子量を有するＰＥＧ誘導体、およびジメチルスルホキシドのうちの１種以上から選択される、請求項１３に記載の組成物。
【請求項１５】
前記組成物が、ゲル、ヒドロゲル、フィルム、ペースト、クリーム、スプレー、軟膏、粉末、またはラップからなる群より選択される形態である、請求項１〜６または１０〜１４のいずれか１項に記載の組成物。
【請求項１６】
前記微小血管薬剤が、パクリタキセル、またはそのアナログもしくは誘導体である、請求項１〜６または１０〜１４のいずれか１項に記載の組成物。
【請求項１７】
前記微小血管薬剤が、パクリタキセルである、請求項１〜６または１０〜１４のいずれか１項に記載の組成物。
【請求項１８】
請求項１０〜１７のいずれか１項に記載の組成物であって、前記標的部位が、炎症性関節炎を含む関節、癒着部位、腫瘍切除部位および線維増殖性眼状態から選択される、組成物。
【請求項１９】
請求項１０〜１８のいずれか１項に記載の組成物であって、前記組成物が、関節内、腹腔内、局所的、静脈内、眼球、または腫瘍の切除縁部から選択される経路により投与される、組成物。
【請求項２０】
キットであって、以下：
（ａ）キャリアにより分散される抗微小管剤；および
（ｂ）多糖類またはポリペプチド、
を含む、キット。
【請求項２１】
滅菌形態である、請求項１〜６のいずれか１項に記載の組成物。
【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
下記一般式（Ｉ）で表わされるトリシクロ化合物またはその医薬的に
許容な塩を有効成分として０．０１％〜０．１％の濃度で含むヒト用眼炎症疾患用眼局所処置剤；
【化１】
2004529928.tif 000001
（式中、Ｒ1およびＲ2、Ｒ3およびＲ4、ならびにＲ5およびＲ6の隣接する対は、各々独立して、
ａ）２つの隣接する水素原子からなり、ここでＲ2はアルキルであってもよく、または
ｂ）該対のそれぞれに結合している炭素原子どうしの間でもうひとつの結合を形成してもよく；
Ｒ7は水素原子、ヒドロキシ、保護されたヒドロキシ、もしくはアルキルオキシである
か、またはＲ1と共になってオキソであってもよく；
Ｒ8およびＲ9は各々独立して、水素原子またはヒドロキシを表わし；
Ｒ10は水素原子、アルキル、１以上のヒドロキシによって置換されたアルキル、アルケニル、１以上のヒドロキシによって置換されたアルケニル、またはオキソによって置換されたアルキルであり；
Ｘはオキソ、（水素原子、ヒドロキシ）、（水素原子、水素原子）、または式−ＣＨ2
Ｏ−で表わされる基であり；
Ｙはオキソ、（水素原子、ヒドロキシ）、（水素原子、水素原子）、または式Ｎ−ＮＲ11Ｒ12もしくはＮ−ＯＲ13で表わされる基であり；
Ｒ11およびＲ12は各々独立して水素原子、アルキル、アリールまたはトシルを表わし；
Ｒ13、Ｒ14、Ｒ15、Ｒ16、Ｒ17、Ｒ18、Ｒ19、Ｒ22およびＲ23は各々独立して水素原子またはアルキルを表わし；
Ｒ24は、置換されていてもよい、１以上の複素原子を含み得る環であり；そして
ｎは１または２を表わし、
上記の意味に加え、さらにＹ、Ｒ10およびＲ23はそれらが結合している炭素原子と一緒になって飽和もしくは不飽和の５員もしくは６員環からなる窒素原子、硫黄原子および／または酸素原子を含有する複素環基を表わしていてもよいが、その複素環基は、アルキル、ヒドロキシ、アルキルオキシ、ベンジル、式−ＣＨ2Ｓｅ（Ｃ6Ｈ5）で表わされる基、
および１以上のヒドロキシによって置換されたアルキルから選ばれる１以上の基によって置換されていてもよい）、およびその医薬的に許容な塩。
【請求項２】
トリシクロ化合物がＦＫ５０６である請求項１記載の剤。
【請求項３】
眼局所処置が１日１回〜４回の眼への該剤の投与によって実施される請求項１記載の剤。
【請求項４】
点眼剤あるいは眼軟膏である請求項１記載の剤。
【請求項５】
眼炎症疾患が、ブドウ膜炎、結膜炎、毛様体炎、強膜炎、上強膜炎、視神経炎、後球視神経炎、角膜炎、眼瞼炎、角膜潰瘍、結膜潰瘍およびその結果として生じる症状；眼障害によって引き起こされる眼炎症疾患；眼科手術後の眼炎症疾患；及び物理的外傷の結果として生じる眼炎症疾患からなる群より選択される請求項１記載の剤。
【請求項６】
眼局所処置が眼の痒みの処置を目的とするものである請求項１記載の剤。
【請求項７】
眼局所処置が眼の発赤の処置を目的とするものである請求項１記載の剤。
【請求項８】
眼局所処置が眼の浮腫の処置を目的とするものである請求項１記載の剤。
【請求項９】
眼局所処置が眼の潰瘍の処置を目的とするものである請求項１記載の剤。
【請求項１０】
他の抗眼炎症剤で改善効果が見られないヒトに投与するための請求項１記載の剤。
【請求項１１】
該抗眼炎症剤がシクロスポリン類および／またはステロイド剤である請求項１０記載の剤。
【請求項１２】
他の抗眼炎症剤を使用できないヒトに投与するための請求項１記載の剤。
【請求項１３】
抗眼炎症剤がシクロスポリン類および／またはステロイド剤である請求項１２記載の剤。
【請求項１４】
ヒトの眼炎症疾患の処置のための眼局所処置剤の製造のための下記一般式（Ｉ）で表わされるトリシクロ化合物およびその医薬的に許容な塩の使用であって、該処置剤中、該トリシクロ化合物が０．０１％〜０．１％の濃度で含められることを特徴とする使用：
【化２】
2004529928.tif 000002
（式中、Ｒ1およびＲ2、Ｒ3およびＲ4、ならびにＲ5およびＲ6の隣接する対は、各々独立して、
ａ）２つの隣接する水素原子からなり、ここでＲ2はアルキルであってもよく、または
ｂ）該対のそれぞれに結合している炭素原子どうしの間でもうひとつの結合を形成してもよく；
Ｒ7は水素原子、ヒドロキシ、保護されたヒドロキシ、もしくはアルキルオキシである
か、またはＲ1と共になってオキソであってもよく；
Ｒ8およびＲ9は各々独立して、水素原子またはヒドロキシであり；
Ｒ10は水素原子、アルキル、１以上のヒドロキシによって置換されたアルキル、アルケニル、１以上のヒドロキシによって置換されたアルケニル、またはオキソによって置換されたアルキルであり；
Ｘはオキソ、（水素原子、ヒドロキシ）、（水素原子、水素原子）、または式−ＣＨ2
Ｏ−で表わされる基であり；
Ｙはオキソ、（水素原子、ヒドロキシ）、（水素原子、水素原子）、または式Ｎ−ＮＲ11Ｒ12もしくはＮ−ＯＲ13で表わされる基であり；
Ｒ11およびＲ12は独立して水素原子、アルキル、アリールまたはトシルを表わし；
Ｒ13、Ｒ14、Ｒ15、Ｒ16、Ｒ17、Ｒ18、Ｒ19、Ｒ22およびＲ23は各々独立して水素原子またはアルキルを表わし；
Ｒ24は、置換されていてもよい、１以上の複素原子を含み得る環であり；そして
ｎは１または２を表わし、
上記の意味に加え、さらにＹ、Ｒ10およびＲ23はそれらが結合している炭素原子と一緒になって飽和もしくは不飽和の５員もしくは６員環からなる窒素原子、硫黄原子および／または酸素原子を含有する複素環基を表わしていてもよいが、その複素環基は、アルキル、ヒドロキシ、アルキルオキシ、ベンジル、式−ＣＨ2Ｓｅ（Ｃ6Ｈ5）で表わされる基、および１以上のヒドロキシによって置換されたアルキルから選ばれる１以上の基によって置換されていてもよい）、およびその医薬的に許容な塩。
【手続補正書】
【提出日】平成15年12月24日(2003.12.24)
【手続補正１】
【補正対象書類名】明細書
【補正対象項目名】発明の名称
【補正方法】変更
【補正の内容】
【発明の名称】アポトーシスの誘導およびマトリックスメタロプロテイナーゼの阻害のための金属の使用
【手続補正書】
【提出日】平成15年12月24日(2003.12.24)
【手続補正１】
【補正対象書類名】明細書
【補正対象項目名】発明の名称
【補正方法】変更
【補正の内容】
【発明の名称】炎症性皮膚状態の治療のための金属の使用
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
一般式Ｉ
【化１】
2004529901.tif 000001
｛式中、
Ｒ1 は水素、C1-6- アルキル基、C3-7- シクロアルキル基、C2-8- アルケニル基又はベンジル基を示し、
Ｒ2 は２−キノリニル基又はベンゾチアゾリル基を示し、このヘテロ環状基は場合によりC1-6- アルキル基、ハロゲン、−ＣＦ3 ，−ＣＮ、アミノ、ニトロ及び式−ＮＨＣＯ−Ｒ4 なる基（式中、Ｒ4 は水素又はC1-6- アルキルを示す。）より成る群から選ばれた置換基によって１回以上置換されている。｝
で表わされる２，５−ジアザビシクロ［２．２．１］ヘプタン誘導体、そのあらゆる対掌体、その対掌体のあらゆる混合物又はその薬学的に許容し得る塩。
【請求項２】
Ｒ1 が水素又はC1-6- アルキル基を示す、請求項１記載の２，５−ジアザビシクロ［２．２．１］ヘプタン誘導体。
【請求項３】
２−（２−キノリニル）−（１Ｓ，４Ｓ）−（＋）−２，５−ジアザビシクロ−［２．２．１］−ヘプタン; 
２−（２−キノリニル）−５−メチル−（１Ｓ，４Ｓ）−（＋）−２，５−ジアザビシクロ−［２．２．１］−ヘプタン; 
２−（６−ニトロ−２−キノリニル）−（１Ｓ，４Ｓ）−２，５−ジアザビシクロ−［２．２．１］−ヘプタン; 
２−（６−ニトロ−２−キノリニル）−５−メチル−（１Ｓ，４Ｓ）−２，５−ジアザビシクロ−［２．２．１］−ヘプタン; 
２−（６−アミノ−２−キノリニル）−５−メチル−（１Ｓ，４Ｓ）−２，５−ジアザビシクロ−［２．２．１］−ヘプタン; 
２−（６−アセチルアミノ−２−キノリニル）−５−メチル−（１Ｓ，４Ｓ）−２，５−ジアザビシクロ−［２．２．１］−ヘプタン; 
２−（２−ベンゾチアゾリル）−（１Ｓ，４Ｓ）−２，５−ジアザビシクロ−［２．２．１］−ヘプタン; 又は
２−（２−ベンゾチアゾリル）−５−メチル−（１Ｓ，４Ｓ）−２，５−ジアザビシクロ−［２．２．１］−ヘプタン; 
又はそのあらゆる対掌体、その対掌体のあらゆる混合物、又はその薬学的に許容し得る塩である、請求項１記載の２，５−ジアザビシクロ［２．２．１］ヘプタン誘導体。
【請求項４】
請求項１〜３のいずれかに１つに記載の２，５−ジアザビシクロ［２．２．１］ヘプタン誘導体又はそのあらゆる対掌体、その対掌体のあらゆる混合物、又はその薬学的に許容し得る塩の治療上有効な量を、少なくとも１種の薬学的に許容し得るキャリヤー又は希釈剤と共に含有する薬学的調合物。
【請求項５】
請求項１〜３のいずれか１つに記載の２，５−ジアザビシクロ［２．２．１］ヘプタン誘導体又は請求項９記載の薬学的調合物を、モノアミンレセプターモジュレーターに応答する疾患又は障害又は状態の治療、予防又は緩和用医薬の製造に使用する方法。
【請求項６】
治療される疾患、障害又は状態が中枢神経系の疾患又は障害、平滑筋収縮に起因する又は関連する疾患又は障害、内分泌腺障害、神経変性に起因する又は関連する疾患又は障害、炎症に起因する又は関連する疾患又は障害、苦痛又は化学物質乱用の中止に起因する禁断症状である、請求項５記載の使用する方法。
【請求項７】
中枢神経系の疾患又は障害が不安、認知障害、学習欠陥、記憶−欠損及び機能障害、アルツハイマー病、注意欠陥、注意欠陥過活動性障害、パーキンソン病、ハンチングトン病、筋萎縮性側索硬化症、ジル・ド・ラ・ツレット症候群、うつ病、躁病、躁鬱病、統合失調症、強迫性障害（ＯＣＤ）、パニック障害、摂食障害、たとえば神経性食欲不振、過食症及び肥満、睡眠発作、侵害受容、ＡＩＤＳ−痴呆症、老人性痴呆症、パーフェリック (periferic)ニューロパシー, 自閉症、読書障害、遅発性ジスキネジー、運動亢進症、癲癇、過食症、外傷後症候群、ソーシャルホビア、慢性疲労症候群、睡眠障害、仮性痴呆、ガンザー症候群、月経前症候群、晩期黄体期症候群、慢性疲労症候群、無言症、トリコチロマニア及び時差ボケである、請求項５記載の使用する方法。
【請求項８】
平滑筋収縮に起因する又は関連する疾患又は障害が、痙攣性障害、狭心症、早産、痙攣、下痢、喘息、癲癇、遅発性ジスキネジー、運動亢進症、早熟射精及び勃起障害である、請求項５記載の使用する方法。
【請求項９】
内分泌腺障害が甲状腺中毒症、褐色細胞腫、高血圧又は不整脈である、請求項５記載の使用する方法。
【請求項１０】
神経変性疾患が短期の無酸素症又は誘発された神経変性である、請求項５記載の使用する方法。
【請求項１１】
炎症に起因するか又は関連する疾患又は障害が炎症性皮膚障害、たとえばしゅさ性挫瘡、クーロン病、炎症性腸疾患、潰瘍性大腸炎、及び下痢である、請求項５記載の使用する方法。
【請求項１２】
苦痛が軽い、穏やかな又は激しい、急性、慢性又は習慣的特徴のある苦痛、偏頭痛に起因する苦痛、術後の苦痛又は幻想肢痛である、請求項５記載の使用する方法。
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】  最大寸法が１００nmより小さい官能化したシルセスキオキサンナノ粒子であって、最小で６個、好ましくは２４個までのケイ素原子を含み、６７モルパーセントを越えるＲＳｉＯ3/2部分を含み、式中Ｒはフェニル基又は一若しくは複数の反応性官能基を有するフェニル基であるシルセスキオキサンマクロモノマー、又はＳｉ−Ｏ−Ｓｉ結合で結合した該マクロモノマーのオリゴマー又はポリマーであって、少なくとも一つの該フェニル基が一つの反応性官能基を有しているものを含む、ナノ粒子。
【請求項２】  フェニル−置換したシルセスキオキサンを提供すること及び該フェニル−置換したシルセスキオキサンのフェニル基を反応性基又はその前駆体で置換することを含む、請求項１に記載の官能化したシルセスキオキサンマクロモノマーの製造方法。
【請求項３】  フェニル−置換したシルセスキオキサンのフェニル基をニトロ化してニトロフェニル−置換したシルセスキオキサンを製造し、次いで該ニトロフェニル基をアミノフェニル基に還元してアミノフェニル−置換したシルセスキオキサンを製造することを含む、請求項２に記載の方法。
【請求項４】  フェニル置換体の環水素原子に対する官能基又はその前駆体の求電子的置換によりフェニル−置換したシルセスキオキサンが官能化される、請求項２に記載の方法。
【請求項５】  反応性官能基をハロ、アミノ、イミノ、エポキシ、カルボン酸、カルボニルクロリド、カーボネート、イソシアナート、シアナート、マレイミド、エチレン系不飽和、エチリン系不飽和、ヒドロキシル、アシル、ヒドロキシアルキル、及びスルホニルから成る群から選択する、請求項２ないし４のいずれか１項に記載の方法。
【請求項６】  シルセスキオキサンナノ粒子がカゴ構造を有しかつ６〜２４個の、好ましくは８個の反応性官能基を含む、請求項１に記載の官能化したシルセスキオキサン。
【請求項７】  請求項１の官能化したシルセスキオキサンマクロモノマー又は請求項２ないし５のいずれか１項に記載の方法によって製造した官能化したシルセスキオキサンマクロモノマー、又はこれらのＳｉ−Ｏ−Ｓｉ結合したオリゴマー若しくはポリマーを含むナノ複合体物質。
【請求項８】  多層構造体を含む請求項７のナノ複合体物質であって、該多層構造体が請求項１の官能化したシルセスキオキサン又は請求項２ないし５のいずれか１項に記載の方法によって製造した官能化したシルセスキオキサンマクロモノマー、又はこれらのＳｉ−Ｏ−Ｓｉ結合したオリゴマー若しくはポリマーの層を含む、物質。
【請求項９】  官能化したシルセスキオキサンの交互の層がジ−又は多官能性スペーサー分子によって化学的に結合している、請求項７又は８に記載のナノ複合体物質。
【請求項１０】  スペーサー分子が非−フェニル置換した、官能化したシルセスキオキサンマクロモノマー、好ましくはオクタキス（エポキシアルキル）シルセスキオキサンを含む、請求項９に記載のナノ複合体物質。
【請求項１１】  コア／シェル構造を有する、請求項７ないし１０のいずれか１項に記載のナノ複合体物質。
【請求項１２】  請求項１の官能化したシルセスキオキサン又は請求項２ないし５のいずれか１項に記載の方法によって製造した官能化したシルセスキオキサン又はこれらのＳｉ−Ｏ−Ｓｉ結合したオリゴマー若しくはポリマーであって、連続した熱可塑性又は熱硬化性ポリマーマトリックスに化学的に結合したものを分散相として含む、請求項７に記載のナノ複合体物質。
【請求項１３】  オクタキス（アミノフェニル）シルセスキオキサン、オクタキス（Ｎ−マレイミドアミノフェニル）シルセスキオキサン、オクタキス（アセチルフェニル）シルセスキオキサン、及びオクタキス（ブロモフェニル）シルセスキオキサンから選択する、請求項１に記載の官能化したシルセスキオキサン。
【請求項１４】  請求項１に記載のナノ粒子又は請求項２ないし５のいずれか１項の方法によって製造した官能化したフェニルシルセスキオキサンのナノ粒子の、表示使用用のルミネッセンスナノ複合体；物質をろ過、ふるい分け、捕捉又は濃縮するナノ複合体多孔媒体；電子伝導性のナノ複合体；高い強度及び熱安定性を示すナノ複合体；及び耐炎性のナノ複合体としての使用。
【請求項１５】  ４級アンモニウムヒドロキシドを使用してシリカ源をポリアニオン性の形態に転換し、ヒドリドアルキルクロロシランとの反応によりヒドリドシリル−官能性反応性基を有するシルセスキオキサンを形成し、かつ任意に該ヒドリドシリル−官能性反応性基を有するシルセスキオキサンを使用して不飽和有機化合物をヒドロシリル化する、官能化したシルセスキオキサンを製造する方法における、シリカを含む天然物を燃焼又は焼成して得られるシリカ源をシリカ源として選択することを含む改良。
【請求項１６】  シリカ源が一又は複数のフライアッシュ又は稲籾殻灰である、請求項１５に記載の方法。
【手続補正書】
【提出日】平成16年5月17日(2004.5.17)
【手続補正１】
【補正対象書類名】特許請求の範囲
【補正対象項目名】全文
【補正方法】変更
【補正の内容】
【特許請求の範囲】
【請求項１】
化粧品組成物であって、水相及び非水相からなるエマルション、並びに、少なくとも1種のアルキレンオキシド含有エマルション安定剤と前記非水相中に存在する非シロキサンベースの少なくとも1種のポリアミド樹脂からなるゲル化系を含む前記化粧品組成物。
【請求項２】
さらに、当該組成物の2.0重量％を超える量の着色成分を含む、請求項1に記載の組成物。
【請求項３】
前記着色成分が当該組成物の5.0重量％を超える量である、請求項2に記載の組成物。
【請求項４】
前記ポリアミド樹脂が、さらに、第三級アミド、エステル、アミン及び酸からなる群から選択される末端基を含む、請求項1に記載の組成物。
【請求項５】
前記ポリアミド樹脂がゲル化に充分な量である、請求項1に記載の組成物。
【請求項６】
前記ポリアミド樹脂が当該組成物の約1〜90重量％の量である、請求項5に記載の組成物。
【請求項７】
前記エマルションが、さらに、約0.01〜約10％の界面活性剤を含む、請求項1に記載の組成物。
【請求項８】
前記エマルション安定剤が界面活性剤であって8を超えるHLBを有する、請求項7に記載の組成物。
【請求項９】
前記非水相が、さらに、揮発性油を含む、請求項1に記載の組成物。
【請求項１０】
リップスティックの形態にある、請求項2に記載の組成物。
【請求項１１】
さらに、脂肪酸のアルカノールアミドを含む、請求項10に記載の組成物。
【請求項１２】
マスカラの形態にある、請求項2に記載の組成物。
【請求項１３】
前記エマルションがワックスを含まない、請求項12に記載の組成物。
【請求項１４】
少なくとも2つの相とゲル化系を含む化粧用エマルションであって、前記ゲル化系が、
(a)2.5〜4.0の電気陰性度を有する第三級アミドの少なくとも1つの結合ヘテロ原子を含む部分構造を有する少なくとも1種のポリアミド樹脂、及び、
(b)2.5〜4.0の電気陰性度を有する原子を含む少なくとも1種の樹脂安定剤
からなる、前記化粧用エマルション。
【請求項１５】
前記部分構造が末端基である、請求項14に記載のエマルション。
【請求項１６】
前記結合ヘテロ原子が前記ポリアミド樹脂の末端にグラフトしている、請求項14に記載のエマルション。
【請求項１７】
前記組成物が、さらに、当該組成物の2.0重量％を超える量の着色成分を含む、請求項14に記載のエマルション。
【請求項１８】
前記組成物の約2.0重量％を超える量の着色剤成分、水相及び非水相を含む安定な化粧用エマルションであって、前記水相が、第三級アミド、アミン、酸及び前記非水相中に存在するエステルからなる群から選択される末端基を有する少なくともゲル化に充分な量の少なくとも1種の非シロキサンベースポリアミド樹脂と、8を超えるHLBを有する少なくとも1種のエチレンオキシド含有界面活性剤を含んでなる、前記安定な化粧用エマルション。
【請求項１９】
ワックスを含まない、請求項18に記載のエマルション。
【請求項２０】
さらに、約5.0％を超える量の着色剤成分を含む、請求項19に記載のエマルション。
【請求項２１】
さらに、1種以上の有効成分を含む、請求項20に記載のエマルション。
【請求項２２】
化粧用エマルションを調製する方法であって、少なくとも非水相にゲル化に充分な量の非シロキサンベースポリアミド樹脂を添加するステップ、及び、水相を、前記非水相、少なくとも1種のアルキレンオキシド含有エマルション安定剤及び約2.0％を超える量の着色剤成分とともに分散させるステップを含む、前記方法。
【請求項２３】
前記分散させるステップが、さらに、前記水相を分散剤相として含む、請求項22に記載の方法。
【請求項２４】
前記ポリアミドが、さらに、第三級アミド、エステル、アミン及び酸からなる群から選択される末端基を含む、請求項23に記載の方法。
【請求項２５】
前記エマルションがワックスを含まない、請求項22に記載の方法。
【請求項２６】
前記エマルションをマスカラ又はリップスティック用の配合物に添加する、請求項22に記載の方法。